(57)【特許請求の範囲】
【請求項１】
ＰＣに設けられたＷＥＢブラウザと通信プロトコルとしてＨＴＴＰを用いて通信する、装置用システムファイルから画像デザインが記録されたファイルを要求元のＰＣに提供する第１のサーバと、
ＰＣから送信されるコマンドを判断して該当するディジタル保護制御装置の装置情報等のリアルタイム情報を取得して要求元のＰＣに返信する第２のサーバを備え、
前記第２のサーバは、整定値の設定の開始を示すセッション開始コマンドをＰＣから受信すると、セッションＩＤをＰＣに返信し、設定された整定値の運用開始または整定を中止するコマンドをＰＣから受信するまで、当該セッションＩＤを用いて当該ＰＣとの通信が有効なセッションであることを判断するディジタル保護制御装置。
【請求項２】
前記第１のサーバは、画像デザイン表示のためのＷＥＢサーバであり、前記第２のサーバは、装置情報送信のためのＡＪＡＸサーバである請求項１に記載のディジタル保護制御装置。
【請求項３】
前記ＡＪＡＸサーバが、電力系統事故時に遮断器の遮断指令を出力する保護制御部及び保護演算処理の設定値と設定範囲を管理する設定値ＤＢと接続され、前記ＷＥＢサーバが設定画面とその振る舞いが記述されたスクリプトを管理し配信するものである請求項２に記載のディジタル保護制御装置。
【請求項４】
前記ＡＪＡＸサーバは、整定値入力時の設定値が設定範囲外の場合は絶対値不良発生と判断する請求項２に記載のディジタル保護制御装置。
【請求項５】
前記ＷＥＢサーバは、画面の内容を定義するＨＴＭＬファイル，画面のレイアウトとデザインを定義するＣＳＳファイル，ＷＥＢブラウザ上で実行可能なスクリプトファイルを保持する請求項２に記載のディジタル保護制御装置。
【請求項６】
前記ＰＣは、ＡＪＡＸサーバから送信された装置情報を画面表示し、該表示された画面が設定値の入力画面である請求項２に記載のディジタル保護制御装置を具備したディジタル保護制御装置システム。
【発明の詳細な説明】
【技術分野】
【０００１】
本発明は、電力系統の系統情報に基づいて保護演算処理を行い、系統事故時に遮断器に遮断指令を出力するディジタル保護制御装置に関する。
【背景技術】
【０００２】
ディジタル保護制御装置は、電力系統の系統情報に基づいて保護演算処理を実行して保護制御対象に遮断指令を出力する装置である。
【０００３】
このようなディジタル保護制御装置には、〔特許文献１〕に記載のように、保護演算処理のための設定を装置側で管理し、ＷＥＢサーバを用意して、装置外部にあるＰＣからＷＥＢプラウザを介して装置の設定状態を閲覧，変更する方法がある。
【０００４】
ＷＥＢプラウザを用いて装置のリアルタイムな状態を監視するための技術としては、〔非特許文献１〕で紹介されているＡＪＡＸ技術を用いることが有効である。〔特許文献２〕には、ネットワーク装置の最新状態をＸＭＬ形式に変換してＰＣ（パーソナルコンピュータ）に送信し、ＡＪＡＸ技術を用いてＷＥＢプラウザ上で表示して、装置の最新状態を監視することが記載されている。
【先行技術文献】
【特許文献】
【０００５】
【特許文献１】特開２００１−３３３５４９号公報
【特許文献２】特開２００８−２８２３１１号公報
【非特許文献】
【０００６】
【非特許文献１】Ｊａｖａ開発者のためのＡｊａｘ実践開発入門（技術評論社、２００７年１１月）
【発明の概要】
【発明が解決しようとする課題】
【０００７】
〔特許文献１〕に記載された従来の技術では、ＰＣ上のＷＥＢプラウザ上で実行するＪａｖａ（登録商標）プログラムを、ＷＥＢサーバからダウンロードすることを想定している。この場合、ＨＩ（ヒューマンインタフェース）の外観，振る舞い，通信手順が一つのプログラムに搭載されるため、装置のバリエーションや世代間で発生するメンテナンス性，カスタマイズ性に難点がある。また、ディジタル保護制御装置は、ライフサイクルが長いため、ＰＣの世界で急激に進むＨＩ（ヒューマンインタフェース）の進化に追従するのが難しいという問題がある。
【０００８】
〔特許文献２〕に記載された従来の技術では、ＡＪＡＸを用いて装置の最新状態をＷＥＢプラウザ上で表示することができるが、ディジタル保護制御装置の設定を変更して運用を開始することはできなく、又、通信切断時の復旧方法についても配慮されていないものであった。
【０００９】
本発明の第１の目的は、ＨＩのメンテナンスが容易なディジタル保護制御装置を提供することにある。
【００１０】
本発明の第２の目的は、ＨＩのメンテナンスが容易となり、ＡＪＡＸの豊富なライブラリを利用できるディジタル保護制御装置を提供することにある。
【００１１】
本発明の第３の目的は、装置の設定変更，運用開始，通信切断時の復旧できるディジタル保護制御装置を提供することにある。
【課題を解決するための手段】
【００１２】
上記目的を達成するために、本発明のディジタル保護制御装置は、ＰＣに設けられたＷＥＢプラウザとネットワークを介して接続された、アプリケーション用の情報提供機能を含む第１のサーバと、装置情報を含む情報を提供する第２のサーバを備えたものである。
【００１３】
又、ＰＣに設けられたＷＥＢプラウザと通信プロトコルとしてＨＴＴＰを用いて通信する画像デザイン表示のためのＷＥＢサーバと、装置情報表示のためのＡＪＡＸサーバで構成されたものである。
【００１４】
又、通信プロトコルとしてＨＴＴＰを用い、ＰＣに設けられたＷＥＢプラウザと通信する、装置用システムファイルに接続されるＷＥＢサーバと、設定ＤＢ及び保護制御部に接続されるＡＪＡＸサーバで構成されたものである。
【００１５】
又、ＰＣに設けられたＷＥＢプラウザと通信プロトコルとしてＨＴＴＰを用いて通信する、装置用システムファイルから画像デザインが記録されたファイルを要求元のＰＣ３に提供する第１のサーバと、ＰＣから送信されるコマンドを判断して該当するディジタル保護制御装置の装置情報等のリアルタイム情報を取得して要求元のＰＣに返信する第２のサーバを備えたものである。
【発明の効果】
【００１６】
本発明によれば、ＷＥＢ系エンジニアによってディジタル保護制御装置のＨＩのメンテナンスが可能となる効果がある。
【図面の簡単な説明】
【００１７】
【図１】本発明の一実施形態のディジタル保護制御装置のシステム構成図。
【図２】ディジタル保護制御装置の構成例を示した図。
【図３】ＰＣの構成例を示した図。
【図４】装置用ファイルシステムの例を示した図。
【図５】ＷＥＢプラウザでの画面表示例を示した図。
【図６】装置状態表示スクリプトの例を示した図。
【図７】装置状態取得コマンドとその返信の例を示した図。
【図８】装置情報取得コマンドとその返信の例を示した図。
【図９】整定値取得コマンドとその返信の例を示した図。
【図１０】ＷＥＢプラウザでの整定中画面表示の例を示した図。
【図１１】整定値設定コマンドとその返信の例を示した図。
【図１２】ＷＥＢプラウザでの整定値設定画面表示の例を示した図。
【図１３】運用開始コマンドとその返信の例を示した図。
【図１４】ＷＥＢプラウザでの運用開始画面表示例を示した図。
【発明を実施するための形態】
【００１８】
本発明の実施形態について図面を参照して説明する。図１は、ディジタル保護制御装置のシステム構成図である。
【００１９】
ディジタル保護制御装置１は、電力系統の系統情報量に基づいて保護演算処理を実行して保護制御対象４である遮断機に遮断指令を出力する装置である。ディジタル保護制御装置１と複数のＰＣ３間の通信を行う通信回線２は、インターネットプロトコルに基づくＬＡＮ（ローカルエリアネットワーク）である。複数のＰＣ３は、後述するように、通信回線２を介して、遠隔からディジタル保護制御装置１を監視，設定することができるようになっている。
【００２０】
図２は、ディジタル保護制御装置１の構成例を示した図である。
【００２１】
ディジタル保護制御装置１は、ＷＥＢサーバ１０，ＷＥＢサーバ１０に接続される装置用ファイルシステム１１，ＡＪＡＸサーバ１２，ＡＪＡＸサーバ１２に接続される設定値ＤＢ１３（設定値データベース１３）及び保護制御部１４で構成される。
【００２２】
ＷＥＢサーバ１０は、ＨＴＴＰ（hypertext transfer protocol）プロトコルに従って、ＴＣＰ（Transmission Control Protocol/Internet Protocol）ポート８０番で待ち受けするサーバである。ＰＣ３から送信されるＨＴＴＰ／ＧＥＴ要求によって指定されたファイル名に従い、装置用ファイルシステム１１に保持されているファイルを要求元のＰＣ３に返信する。
【００２３】
ここで、サーバとして、フリーソフトとして一般的に使われているApache HTTP Server（単にＡｐａｃｈｅともいう）を用いてもよいが、軽量のＷＥＢサーバとしたい場合は、ＨＴＴＰ／ＧＥＴを実装する。
【００２４】
装置用ファイルシステム１１は、ファイル名とファイル実体を管理する。一般的にはハードディスクのような二次記憶を用いるが、ディジタル保護制御装置１の場合は、安全性を高めるため、ファイルをメモリで管理することが多い。
【００２５】
ＡＪＡＸサーバ１２は、ＨＴＴＰプロトコルに従って、ＴＣＰポート８０８０番で待ち受けするサーバである。このＴＣＰポート番号は、スクリプトの修正が必要ではあるが、実際ではＨＴＴＰプロトコルの制約範囲内で自由に決められる。
【００２６】
ＡＪＡＸサーバ１２は、ＰＣ３からのＨＴＴＰ／ＰＯＳＴ要求によって発行されたコマンドを解釈し、設定値ＤＢ１３で管理される設定値を返信、又は更新したり、保護制御部１４に対して更新された設定に基づく運用開始を指示する機能を持つ。ＰＯＳＴ要求の返信はＡＪＡＸの規定により、ＸＭＬ形式，ＪＳＯＮ形式などを用いることができる。
【００２７】
設定値ＤＢ１３は、回線名称のような基本情報と、リレー名称，数値の取り得る範囲，単位，小数点の位置を含む整定情報と、リレーの整定値を記録している。
【００２８】
保護制御部１４は、設定値ＤＢ１３の設定に基づき、電力系統の系統情報量に基づいて保護演算処理を実行する。演算結果によって保護制御対象４に遮断指令を出力する他、演算結果を保持しＡＪＡＸサーバ１２を介してＰＣ３で監視することができるようになっている。
【００２９】
ここで、ＷＥＢサーバ１０について説明したが、ＷＥＢサーバでなくてもよく、後述する画像デザインが記録されたファイル等のアプリケーションを要求元のＰＣ３に提供するアプリケーション用の情報提供機能を含む第１のサーバであればよい。
【００３０】
又、ＡＪＡＸサーバ１２について説明したが、ＡＪＡＸサーバでなくてもよく、後述するディジタル保護制御装置の装置情報等のリアルタイム情報を取得して要求元のＰＣに返信する制御権管理用の第２のサーバであればよい。
【００３１】
このような第１のサーバ，第２のサーバを設けることにより、ＷＥＢ系エンジニアによってディジタル保護制御装置のＨＩのメンテナンスが可能となる。
【００３２】
図３はＰＣ３の構成例を示した図である。
【００３３】
ＰＣ３からディジタル保護制御装置１にアクセスするために、ＰＣ３には、ＷＥＢプラウザ３１と、ファイルシステム３３と、必要に応じてＷＥＢプロキシ３２が設けられる。
【００３４】
ＷＥＢプラウザ３１は、ＨＴＭＬ処理部３１１，スクリプト処理部３１２，通信部３１３で構成される。通信部３１３は、ＨＴＴＰプロトコルに従って、要求するファイルをＷＥＢサーバ１０から取得し、要求するコマンドをＡＪＡＸサーバ１２で実行する。ディジタル保護制御装置１との通信結果はファイルシステム３３で管理され、ディジタル保護制御装置１側で変更のないファイルについてはキャッシュされる。
【００３５】
ＨＴＭＬ処理部３１１は、ＨＴＭＬ形式とＣＳＳ（Cascading Style Sheets）形式のファイルを解釈し、ＷＥＢプラウザ３１上に表示する機能を持つ。スクリプト処理部３１２は、ＨＴＭＬ形式もしくはＪＳ（ＪａｖａＳｃｒｉｐｔ）形式のファイルを解釈し、ＪａｖａＳｃｒｉｐｔ（登録商標）のエンジンを用いて解釈実行をする機能を持つ。
【００３６】
このような機能を実行可能なＷＥＢプラウザ３１として、Ｍｉｃｒｏｓｏｆｔ社製のＩｎｔｅｒｎｅｔ  Ｅｘｐｌｏｌｅｒ（登録商標）６や、Ｍｏｚｉｌｌａ（登録商標）が提供するＦｉｒｅＦｏｘ（登録商標）が利用可能である。
【００３７】
ＷＥＢプロキシ３２は、プロキシ処理部３２１と、通信整列部３２２で構成される。プロキシ処理部３２１は、自己もしくは他のＰＣ３のＷＥＢプラウザ３１からのＨＴＴＰ通信を代理処理するもので、この機能を実現するフリーソフトウェアとしては、Ｓｑｕｉｄが知られている。
【００３８】
通信整列部３２２は、ＦｉｒｅＦｏｘのデフォルト設定で見られるような、ＷＥＢサーバ１０への同時並行要求による負荷を低減するために、要求をＨＴＭＬ，ＣＳＳ，ＪＳの順に並べ替えて、一つずつ返信する機能である。
【００３９】
ディジタル保護制御装置１は、高速な演算処理が求められる保護制御対象４のＣＰＵ負荷が高くなる傾向にあり、同じＣＰＵで保護制御対象４とＷＥＢサーバ１０を実行すると通信処理が間に合わない場合にはこの機能を用いる。
【００４０】
図４は、装置用ファイルシステム１１の例を示した図である。図５は、ＷＥＢプラウザでの画面表示例を示した図である。
【００４１】
図４に示す装置用ファイルシステム１１のｉｎｄｅｘ.ｈｔｍｌ１１１は、ＰＣ３からディジタル保護制御装置１に対して、最初にアクセスするファイルであり、図５に示すトップメニュー３４とメニュー３５の選択された画面を呼び出すスクリプトが含まれている。
【００４２】
トップメニュー３４は、名称表示３４１と装置状態表示３４２からなり、装置状態表示３４２を表現するＨＴＭＬが、符号１１１１で示したｉｎｄｅｘ.ｈｔｍｌの一部である。図４に示す装置用ファイルシステム１１のｉｎｄｅｘ.ｃｓｓ１１２は、ｉｎｄｅｘ.ｈｔｍｌ１１１のレイアウトや色合いを定義するファイルである。
【００４３】
ｊｑｕｅｒｙ−１.４.ｍｉｎ.ｊｓ１１３は、ＡＪＡＸを実現するＪａｖａＳｃｒｉｐｔ（登録商標）で記述されたスクリプトであり、フリーソフトウェアとして提供されている。
【００４４】
ｒｅａｌｔｉｍｅ.ｊｓ１１４は、トップメニュー３４の装置状態表示３４２をリアルタイムに表示するためのスクリプトで、図６に示す装置状態表示スクリプト１１４１を含んでいる。
【００４５】
図６に示すように、装置状態表示３４２を変更するにはｉｎｄｅｘ.ｈｔｍｌの一部１１１１のｉｄを用いて、ｊｑｕｅｒｙ−１.４.ｍｉｎ.ｊｓ１１３のライブラリを呼び出すことで実現できる。
【００４６】
ｓｅｔｔｉｎｇ.ｈｔｍｌ１１５は、図５に示す整定画面３６のＨＴＭＬファイルであり、メニュー３５で整定が選択されると表示される。整定画面３６には、ページ設定部３６１，整定開始ボタン３６２，運用開始ボタン３６３，数値入力部３６４，リレー名表示部３６５，整定値表示部３６６，整定範囲表示部３６７，エラー表示部３６８が表示される。
【００４７】
ｓｅｔｔｉｎｇ.ｃｓ１１６は、ｓｅｔｔｉｎｇ.ｈｔｍｌ１１５のレイアウトや色合いを定義するファイルである。ｓｅｔｔｉｎｇ.ｊｓ１１７は整定画面３６における整定処理を実現するスクリプトである。
【００４８】
図７は、装置状態取得コマンドとその返信の例１２１を示した図である。
【００４９】
図４に示すｒｅａｌｔｉｍｅ.ｊｓ１１４の中で、ＡＪＡＸサーバ１２に対して図７に示す装置状態コマンドであるｃｍｄ＝ＳＹＳＴＥＭ_ＳＴＡＴＵＳを送信すると、返信としてＸＭＬ形式で状態（ｃｏｎｄｉｔｉｏｎ）が返信される。
【００５０】
図７に示す例の場合、状態（ｃｏｎｄｉｔｉｏｎ）が１２８であるので、図６に示す装置状態表示スクリプト１１４１の正常のｉｆ文が実行され、ｉｄ＝“ｓｅｉｊｏｕ”のボックスの背景色がＬｉｍｅに変更される。それ以外はすべてｔｒａｎｓｐａｒｅｎｔ（透明）に変更される。この通信を定期的に繰り返し行うことによって、装置のリアルタイムな状態をＷＥＢプラウザ３１上で監視することができる。
【００５１】
図８は、装置情報取得コマンドとその返信の例１２２を示した図である。
【００５２】
図４に示すｓｅｔｔｉｎｇ.ｊｓ１１７の中で、ＡＪＡＸサーバ１２に対して図８に示す整定情報取得コマンドであるｃｍｄ＝ＳＥＴＴＩＮＧ_ＶＡＬ_ＩＮＦＯを送信すると、返信としてＸＭＬ形式で図５に示す整定画面３６を表示するのに必要な情報が返信される。返信された＜ｔｙｐｅ  ｐａｇｅ＝‘４’／＞は、最大ページ数が４であることを示し、＜ｄａｔａ  ｉｎｄｅｘ＝‘１’／＞は、１ページ目であることを示している。
【００５３】
＜ｅｌｅｍｅｎｔ＞タグ以降に記述された情報は、リレー情報であり、ｎａｍｅはリレー名，ｎｏは表示位置，ｔｙｐｅは入力方式，ｄｅｃは小数点の桁位置，ｕｎｉｔは単位，ｍｉｎは最小値，ｍａｘは最大値を示している。図５に示す整定画面３６を表示するためには、装置情報取得コマンドと次の整定値取得コマンドの実行が必要である。
【００５４】
図９は、整定値取得コマンドとその返信の例１２３を示した図である。
【００５５】
図４に示すｓｅｔｔｉｎｇ.ｊｓ１１７の中で、ＡＪＡＸサーバ１２に対して図８に示す整定情報取得コマンドであるｃｍｄ＝ＳＥＴＴＩＮＧ_ＶＡＬを送信すると、返信としてＸＭＬ形式で整定値が返信される。
【００５６】
例えば、最初の＜ｄａｔａ＞５０＜／ｄａｔａ＞は、図８の＜ｄａｔａ  ｎａｍｅ＝‘１４４ＳＸ１’  ｎｏ＝‘１’  ｔｙｐｅ＝‘１’  ｄｅｃ＝‘２’  ｕｎｉｔ＝‘Ω’  ｍｉｎ＝‘１０’  ｍａｘ＝‘２５００’／＞に対応する。固定小数点の計算はｄａｔａ値＊１０^（−ｄｅｃ）とし、０.５０Ωと表示される。
【００５７】
図１０は、ＷＥＢプラウザで整定中の画面表示の例３６０１を示した図である。
【００５８】
図５に示す整定開始ボタン３６２を押すと整定中モードに移行する。リレー名表示部３６５に表示されているリレーのうち、整定したいリレーをクリックすることで、整定が行えるようになる。
【００５９】
図８に示す＜ｄａｔａ  ｎａｍｅ＝‘１５１Ｄｏ（ΔＩ）’  ｎｏ＝‘７’  ｔｙｐｅ＝‘１’  ｄｅｃ＝‘１’  ｕｎｉｔ＝‘Ａ’  ｍｉｎ＝‘５’  ｍａｘ＝‘５０’／＞に基づき、ｄｅｃ＝‘１’を解釈することで、整定範囲表示部３６７に０.５Ａ≦１５１Ｄｏ（ΔＩ）≦５.０Ａと表示される。数値入力部３６４では、この整定範囲に収まる値を書込みすることができる。整定範囲外の場合は入力エラーとなる。初期設定時に整定範囲外となっているリレーが存在する場合は、エラー表示部３６８にて絶対値不良発生中というメッセージが表示される。
【００６０】
図１１は、整定値設定コマンドとその返信の例１２４を示した図である。
【００６１】
整定値の設定は、通信不良などが原因で中途半端なものが運用されないように、最初にセッション開始を宣言するようになっている。
【００６２】
図４に示すｓｅｔｔｉｎｇ.ｊｓ１１７の中で、ＡＪＡＸサーバ１２に対して図８に示す整定設定コマンドである
ｃｍｄ＝ＳＥＳＳＩＯＮ_ＳＴＡＲＴを送信すると、返信としてＸＭＬ形式でセッションＩＤが返信される。運用開始もしくは整定を中止するまで、このセッションＩＤを用いて通信を続ける必要がある。セッションを開始した後、他のＰＣ３からのセッションを用いた通信はエラーとなる。また、無効なセッションＩＤを用いてもエラーとなる。
【００６３】
得られたセッションＩＤを用いて、ＡＪＡＸサーバ１２に対してｃｍｄ＝ＳＥＴＴＩＮＧ_ＷＲＩＴＥコマンドと設定パラメータを送信すると、成功した場合にはＯＫが返却される。
【００６４】
このように、整定値の設定の最初にセッション開始を宣言することにより、整定値の設定が通信不良などで不正確になるのを防止できる。
【００６５】
図１２は、ＷＥＢプラウザでの整定値設定画面表示の例３６０２を示した図である。
【００６６】
図１１で説明して手順で整定すると、図１２の状態になる。全てのリレーにおいて不良が無くなると、図５に示す運用開始ボタン３６３によって運用開始できる状態になる。
【００６７】
図１３は、運用開始コマンドとその返信の例１２５を示した図である。
【００６８】
図４に示すｓｅｔｔｉｎｇ.ｊｓ１１７の中で、ＡＪＡＸサーバ１２に対して図１３に示す運用開始コマンドであるｃｍｄ＝ＳＥＴＴＩＮＧ_ＥＸＥＣＵＴＥを送信すると、返信として運用開始が成功した場合にＯＫが返却される。さらに、ｓｅｔｔｉｎｇ.ｊｓ１１７の中で、ＡＪＡＸサーバ１２に対してｃｍｄ＝ＳＥＳＳＩＯＮ_ＥＮＤを送信すると、返信としてセッションの終了が成功した場合にＯＫが返却される。
【００６９】
このように、運用開始ボタンによって運用開始することにより、リレーの不良が無くなったのを確認して運用開始できる。
【００７０】
図１４はＷＥＢプラウザでの運用開始画面表示の例３６０３を示した図である。
【００７１】
図１３で説明した手順で運用開始が成功すると、図５に示すエラー表示部３６８の表示が消え、ディジタル保護制御装置１は正常な状態で運用されている状態となる。
【００７２】
ここで、ＷＥＢサーバ１０について説明したが、ＷＥＢサーバでなくてもよく、装置用システムファイルから画像デザインが記録されたファイルを要求元のＰＣ３に提供する第１のサーバであればよい。
【００７３】
又、ＡＪＡＸサーバ１２について説明したが、ＡＪＡＸサーバでなくてもよく、ＰＣから送信されるコマンドを判断して該当するディジタル保護制御装置の装置情報等のリアルタイム情報を取得して要求元のＰＣに返信する第２のサーバであればよい。
【００７４】
本実施例によれば、最新のＷＥＢプラウザでも利用可能なＡＪＡＸ（Asynchronous JavaScript（登録商標）＋ＸＭＬ）を用い、ＨＩの画面デザイン（外観ともいう）をＨＴＭＬ（Hyper Text Markup Language）、リアルタイムな装置情報（振る舞いともいう）をＪａｖａＳｃｒｉｐｔで記述することでカスタマイズ性を向上し、ＨＩのメンテナンスが容易となり、ＡＪＡＸの豊富なライブラリを利用できる。
【００７５】
又、装置情報をＸＭＬ形式によって、非同期通信を用いて返信することで、画面デザイン，装置情報の表示，通信処理を独立に管理でき、装置のバリエーションや世代間の互換性を向上する。
【００７６】
又、ＷＥＢ系エンジニアによってディジタル保護制御装置のＨＩのメンテナンスが可能となり、ＨＩの進化に追従できるようになる。また、ＡＪＡＸの豊富なライブラリを利用して、ＰＣの性能を活かしたグラフィカルでカスタマイズ性の高いＨＩを提供することができるようになる。
【００７７】
又、ＡＪＡＸの通信においてセッション管理を導入することで、装置の設定変更，運用開始，通信切断時の復旧方法を提供できる。
【符号の説明】
【００７８】
１  ディジタル保護制御装置
２  通信回線
３  ＰＣ
４  保護制御対象
１０  ＷＥＢサーバ
１１  装置用ファイルシステム
１２  ＡＪＡＸサーバ
１３  設定値ＤＢ（設定値データベース）
１４  保護制御部
３１  ＷＥＢプラウザ
３２  ＷＥＢプロキシ
３３  ファイルシステム
【図１】
0005517838.tif 000002
【図２】
0005517838.tif 000003
【図３】
0005517838.tif 000004
【図４】
0005517838.tif 000005
【図５】
0005517838.tif 000006
【図６】
0005517838.tif 000007
【図７】
0005517838.tif 000008
【図８】
0005517838.tif 000009
【図９】
0005517838.tif 000010
【図１０】
0005517838.tif 000011
【図１１】
0005517838.tif 000012
【図１２】
0005517838.tif 000013
【図１３】
0005517838.tif 000014
【図１４】
0005517838.tif 000015